(57)【要約】【課題】装着感を向上するため吸収体を薄型化しても、着用者の肌面に密着でき、体液の漏れが防止できるようにする。【解決手段】吸収体４は、非肌側の下層吸収体１０と、前記下層吸収体１０の肌側に、着用者の大陰唇に沿って環状に配置された上層吸収体１１とから構成する。上層吸収体１１の肌側面は、外側にいくに従って肌側に向けて突出するように傾斜する。上層吸収体１１は、高吸水性樹脂を含むとともに、前記高吸水性樹脂の含有比率が非肌側より肌側の方が高くなるように設定されている。【選択図】図５
2019103719.tif 000002
【特許請求の範囲】
【請求項１】
少なくとも吸収体が備えられた吸収性物品において、
前記吸収体は、非肌側の下層吸収体と、前記下層吸収体の肌側に、着用者の大陰唇に沿って環状に配置された上層吸収体とからなることを特徴とする吸収性物品。
【請求項２】
前記上層吸収体の肌側面は、外側にいくに従って肌側に向けて突出するように傾斜している請求項１記載の吸収性物品。
【請求項３】
前記上層吸収体は、高吸水性樹脂を含むとともに、前記高吸水性樹脂の含有比率が非肌側より肌側の方が高くなるように設定されている請求項１、２いずれかに記載の吸収性物品。
【請求項４】
前記下層吸収体の肌側面に、吸収性物品の長手方向に沿うとともに吸収性物品の幅方向に間隔を空けて、非肌側に窪む複数の凹溝が形成されている請求項１〜３いずれかに記載の吸収性物品。
【請求項５】
前記上層吸収体の肌側面に、吸収性物品の幅方向に沿うとともに吸収性物品の長手方向に間隔を空けて、非肌側に窪む複数の凹溝が形成されている請求項１〜４いずれかに記載の吸収性物品。
【発明の詳細な説明】
【技術分野】
【０００１】
本発明は、生理用ナプキン、パンティライナー、失禁パッド等の吸収性物品に係り、詳しくは下層吸収体の肌側に、着用者の大陰唇に沿って密着する環状の上層吸収体を配置した吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、綿状パルプなどからなる吸収体を介在したものが知られている。
【０００３】
就寝時などにおける体液の漏れなどを防止した夜用の生理用ナプキンでは、吸収量を確保するため吸収体を厚くしたものが多く市場に提供されているが、吸収体が厚いとごわ付いて装着感が悪化する問題があった。近年では、夜用の生理用ナプキンにおいても装着感を向上するため、薄型化したものが要求されている。しかし、単に吸収体を薄型化しただけでは、吸収量不足による漏れや、排血口部とのフィット性の悪さから伝い漏れのおそれがあり、着用者にも不安感を与えていた。
【０００４】
この種の吸収性物品にも幾多の改良が重ねられ、排血口部に密着して漏れを防止したものが開発されている。例えば、下記特許文献１においては、着用者の小陰唇を内部に収容するための開口を形成し、かつ、着用者の大陰唇を前記開口の外側に位置させるための開口周辺部を有する、袋状の吸収体収容部材と、前記吸収体収容部材の前部に形成された、着用者の陰核前方部に接触するための突起状の前方接触部と、前記吸収体収容部の後部に形成された、着用者の会陰部に接触するための突起状の後方接触部とを具備する女性用吸収体物品が開示されている。
【０００５】
また、下記特許文献２においては、吸収体の肌当接面側の両側縁間中央域に前後方向に長い環状隆起部を有し、かつ、該隆起部の非肌当接面側がその隆起方向に窪んでいる生理用ナプキンが開示されている。
【先行技術文献】
【特許文献】
【０００６】
【特許文献１】特開２００６−２８８５５０号公報
【特許文献２】実開平６−３１７２２号公報
【発明の概要】
【発明が解決しようとする課題】
【０００７】
しかしながら、上記特許文献１記載の吸収性物品では、大陰唇と接触する開口周辺部として厚さが薄いシート材を用いた場合には、身体の動きによってヨレやめくれが生じ、体液が漏れやすくなるおそれがあった。
【０００８】
また、上記特許文献２記載の吸収性物品では、環状隆起部の非肌当接面側が隆起方向に窪んでいるため、装着時に作用する体圧や吸収性物品の個装時に折り畳んだときの圧縮力などによって、前記環状隆起部が潰れやすいという問題があった。特に、装着感を向上するため薄型の吸収体を用いた場合には、前記環状隆起部がより一層潰れやすくなる。
【０００９】
そこで本発明の主たる課題は、装着感を向上するため吸収体を薄型化しても、着用者の肌面に密着でき、体液の漏れが防止できるようにした吸収性物品を提供することにある。
【課題を解決するための手段】
【００１０】
上記課題を解決するために請求項１に係る本発明として、少なくとも吸収体が備えられた吸収性物品において、
前記吸収体は、非肌側の下層吸収体と、前記下層吸収体の肌側に、着用者の大陰唇に沿って環状に配置された上層吸収体とからなることを特徴とする吸収性物品が提供される。
【００１１】
上記請求項１記載の発明では、下層吸収体の肌側に環状の上層吸収体が積層された構造を成しているため、前記環状の上層吸収体にヨレや潰れなどが生じにくく、この環状の上層吸収体が着用者の大陰唇に確実に密着して、体液の漏れが防止できる。
【００１２】
また、環状に形成された上層吸収体が着用者の大陰唇に密着するため、前記下層吸収体を薄型化しても、体液の漏れが確実に防止でき、装着感の良さと漏れ防止を両立させた吸収性物品が提供できるようになる。
【００１３】
請求項２に係る本発明として、前記上層吸収体の肌側面は、外側にいくに従って肌側に向けて突出するように傾斜している請求項１記載の吸収性物品が提供される。
【００１４】
上記請求項２記載の発明では、環状に形成された前記上層吸収体の肌側面を着用者の大陰唇に密着させやすくするため、この大陰唇の外側に膨出する身体の湾曲形状に沿って傾斜した形状としている。これにより、上層吸収体の肌側面が大陰唇に密着しやすくなり、体液の漏れが防止できるとともに、身体の動きによって装着位置に多少の横ずれが生じても、自然に装着当初の着用者の大陰唇に密着した状態に戻って、上層吸収体の肌側面が身体に密着した状態が維持しやすくなる。
【００１５】
請求項３に係る本発明として、前記上層吸収体は、高吸水性樹脂を含むとともに、前記高吸水性樹脂の含有比率が非肌側より肌側の方が高くなるように設定されている請求項１、２いずれかに記載の吸収性物品が提供される。
【００１６】
上記請求項３記載の発明では、前記上層吸収体における高吸水性樹脂の含有比率を、非肌側より肌側を高くすることにより、上層吸収体が体液を吸収する毎に、前記高吸水性樹脂の膨潤により上層吸収体の肌側が肌面に向けて隆起するようになり、上層吸収体と肌面との密着性がより向上し、動いてもずれにくく、体液の漏れがより確実に防止できるようになる。
【００１７】
請求項４に係る本発明として、前記下層吸収体の肌側面に、吸収性物品の長手方向に沿うとともに吸収性物品の幅方向に間隔を空けて、非肌側に窪む複数の凹溝が形成されている請求項１〜３いずれかに記載の吸収性物品が提供される。
【００１８】
上記請求項４記載の発明では、前記下層吸収体の肌側面に、吸収性物品の長手方向に沿うとともに吸収性物品の幅方向に間隔を空けて、非肌側に窪む複数の凹溝を形成することにより、環状の上層吸収体で囲まれた領域に受け止められた体液を前記凹溝に沿って下層吸収体の前後に拡散させることができ、上層吸収体で囲まれた領域における下層吸収体の吸収量が容量オーバーになるのが防止でき、下層吸収体の広い範囲で体液を効率的に吸収することができるようになる。
【００１９】
請求項５に係る本発明として、前記上層吸収体の肌側面に、吸収性物品の幅方向に沿うとともに吸収性物品の長手方向に間隔を空けて、非肌側に窪む複数の凹溝が形成されている請求項１〜４いずれかに記載の吸収性物品が提供される。
【００２０】
上記請求項５記載の発明では、前記上層吸収体の肌側面に、吸収性物品の幅方向に沿うとともに吸収性物品の長手方向に間隔を空けて、非肌側に窪む複数の凹溝を形成することにより、環状の上層吸収体を身体の前後の丸みに沿って変形させたときシワやヨレが生じにくく、環状の上層吸収体がより一層身体の形状にフィットしやすくなり、体液の漏れがより確実に防止できるようになる。
【発明の効果】
【００２１】
以上詳説のとおり本発明によれば、装着感を向上するため吸収体を薄型化しても、着用者の肌面に密着でき、体液の漏れが防止できるようになる。
【図面の簡単な説明】
【００２２】
【図１】本発明に係る生理用ナプキン１の一部破断展開図である。
【図２】図１のII−II線矢視図である。
【図３】図１のIII−III線矢視図である。
【図４】吸収体４の平面図である。
【図５】図４のV−V線矢視図である。
【図６】変形例に係る吸収体４の横断面図（図４のV−V線矢視図）である。
【図７】変形例に係る上層吸収体１１の平面図である。
【図８】図７のVIII−VIII線矢視図である。
【図９】変形例に係る吸収体４の平面図である。
【図１０】図９のX-X線矢視図である。
【図１１】変形例に係る吸収体４の横断面図（図９のX-X線矢視図）である。
【発明を実施するための形態】
【００２３】
以下、本発明の実施の形態について図面を参照しながら詳述する。
【００２４】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示しないが、前記吸収体４の形状保持および拡散性向上のために、前記吸収体４をクレープ紙又は不織布などからなる被包シートで囲繞してもよい。また、図示しないが、前記透液性表面シート３の非肌側に隣接して、前記透液性表面シート３とほぼ同形状の親水性の不織布などからなるセカンドシートを配設してもよい。
【００２５】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２６】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２７】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２８】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００２９】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００３０】
〔吸収体〕
以下、前記吸収体４について詳細に説明する。前記吸収体４は、図４及び図５に示されるように、非肌側の下層吸収体１０と、肌側の上層吸収体１１とから構成されている。前記上層吸収体１１は、前記下層吸収体１０の肌側に、着用者の大陰唇に沿って環状に配置されている。前記吸収体４は、前記下層吸収体１０の肌側に上層吸収体１１を積層した２層構造とするのが望ましい。
【００３１】
前記下層吸収体１０及び上層吸収体１１はそれぞれ、たとえば綿状パルプと高吸水性樹脂とにより構成されている。前記高吸水性樹脂は吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３２】
また、前記下層吸収体１０及び上層吸収体１１の少なくとも一方には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
前記下層吸収体１０は、生理用ナプキン１のほぼ全長に亘って配設された縦長の略四角形からなるほぼ平坦な平板状に形成され、前後の外形線が生理用ナプキン１の外形線に合わせて外側に膨出する曲線状に形成されている。
【００３４】
前記下層吸収体１０は、装着感を向上するため、薄型に形成するのが好ましい。目付は、特に限定されないが、５０〜２５０ｇ／ｍ２が好ましく、厚みも、特に限定されないが、１〜３ｍｍが好ましい。
【００３５】
前記上層吸収体１１は、前記下層吸収体１０より幅寸法及び長手寸法が小さく形成され、前記下層吸収体１０における着用者の排血口部に対応する位置、具体的には、前記下層吸収体１０の幅方向中央部であって前後方向中間部の前側寄り位置に配置されている。前記上層吸収体１１は、前記下層吸収体１０の肌側面より肌側に増厚された部分であり、肌側面が着用者の大陰唇に接するように、着用者の大陰唇に沿って環状に形成されている。前記上層吸収体１１で囲まれた相対的に窪んだ領域の底面は、上層吸収体１１より外側に配置された下層吸収体１０の肌側面とほぼ面一に形成されている。生理用ナプキン１の装着状態において、前記上層吸収体１１の肌側面１２は、着用者の大陰唇に接触し、環状の上層吸収体１１で囲まれた領域には、少なくとも着用者の膣口部、好ましくは陰裂全体が位置する。このため、排出された経血は、前記上層吸収体１１で囲まれた領域内に受け止められ、下層吸収体１０及び上層吸収体１１に吸収されるようになっている。前記上層吸収体１１は、着用者の排血口部の形状に対応して、生理用ナプキン１の前後方向に長い縦長の楕円形又は長円形に形成されている。
【００３６】
前記上層吸収体１１は、前記下層吸収体１０の肌側面に単に積層させただけでもよいし、ホットメルトなどの接着剤によって接着してもよい。また、前記上層吸収体１１の肌側に透液性表面シート３を積層した状態で、上層吸収体１１の少なくとも両側部にそれぞれ長手方向に沿って、前記透液性表面シート３の肌側面に、前記透液性表面シート３及び下層吸収体１０を一体的に非肌側に窪ませたエンボス溝を設けることにより、上層吸収体１１を下層吸収体１０に定着させてもよい。このエンボス溝は、上層吸収体１１の外縁に沿って全周に亘って設けてもよく、また上層吸収体１１で囲まれた領域内の少なくとも両側部にそれぞれ長手方向に沿って設けてもよい。
【００３７】
このように、本生理用ナプキン１では、下層吸収体１０の肌側に環状の上層吸収体１１が積層されているため、吸収体特有のクッション性により前記環状の上層吸収体１１にヨレや潰れなどが生じにくいとともに、肌側に突出した環状の上層吸収体１１が着用者の大陰唇に密着し、排出された経血を上層吸収体１１で囲まれた領域内に受け止めて吸収するように作用するため、体液の漏れが確実に防止できる。
【００３８】
また、環状に形成された上層吸収体１１が着用者の大陰唇に密着するため、下層吸収体１０を薄型化しても、体液の漏れが確実に防止でき、装着感の良さと漏れ防止を両立させることができるようになる。従って、本生理用ナプキン１のような夜用ナプキンにおいても、下層吸収体１０を薄型化して装着感を向上することができるようになる。
【００３９】
前記上層吸収体１１の肌側面１２は、図５に示されるように、外側にいくに従って徐々に肌側に向けて突出する傾斜面とするのが好ましい。これにより、上層吸収体１１の肌側面１２が、図中の二点鎖線で示されるように、外側に膨出する湾曲形状を成す着用者の大陰唇に密着しやすくなり、体液の漏れが防止できるとともに、身体の動きによって装着位置に多少の横ずれが生じても、自然に装着当初の着用者の大陰唇に密着した状態に戻って、上層吸収体１１の肌側面１２が身体に密着した状態が維持しやすくなる。
【００４０】
前記肌側面１２の傾斜角α（装着前の生理用ナプキン１の展開状態で、前記肌側面１２の内側への延長線と、下層吸収体１０の肌側面との成す角）は、身体の湾曲形状に密着しやすいように、２０〜６０°、好ましくは２０〜４０°とするのがよい。
【００４１】
前記肌側面１２の断面形状は、図５に示されるように直線としてもよいし、図６(A)に示されるように、肌側に向けて窪んだ曲線としてもよい。すなわち、肌側に向けて膨出しない形状とするのが望ましい。肌側に向けて膨出した形状とすると、身体の形状に沿って密着しにくいとともに、上層吸収体１１に含まれる高吸水性樹脂が吸水して膨潤した際、肌側面１２の中央部が膨出しやすいため、より大きく肌側に向けて膨出し、更に身体の形状に沿って密着しにくくなる。
【００４２】
前記上層吸収体１１の肌側面１２以外の部分の断面形状は、特に制限されないが、図５に示されるように、肌側に向けて徐々に幅狭となる山形に形成するのが好ましい。両側面のうち外側面１３は、図５に示されるように、肌側に向けて内側に傾斜する傾斜面で形成するのが好ましい。これにより、上層吸収体１１が外側に倒れるのが防止できる。
【００４３】
一方、内側面１４は、図５に示されるように、下層吸収体１０の肌側面に対して垂直に起立する垂直面で形成するか、図６(B)に示されるように、肌側に向けて内側に傾斜する傾斜面で形成するのが好ましい。これにより、環状の下層吸収体１０で囲まれた範囲に、より多くの体液を受け止めることができるとともに、前記傾斜面で形成した場合には、この範囲に受け止められた体液が外側に流れようとしたときに、内側面１４が波返しのように作用して外側への体液の漏れがより確実に防止できるようになる（図６(B)参照）。
【００４４】
前記上層吸収体１１の厚みＨ（下層吸収体１０の肌側面と上層吸収体１１の最も肌側に位置する部分との吸収体４の厚み方向の長さ）は、４〜１０ｍｍとするのが好ましい。これにより、下層吸収体１０を薄型化しても上層吸収体１１が着用者の大陰唇に密着した状態が維持しやすくなる。また、前記上層吸収体１１の目付は、１５０〜４５０ｇ／ｍ２とするのがよい。
【００４５】
また、上層吸収体１１の幅Ｂ（上層吸収体１１の基端部の幅）は、５〜２５ｍｍ、好ましくは１０〜２０ｍｍとするのがよい。これにより、上層吸収体１１が安定して配置できるとともに、上層吸収体１１の肌側面１２が着用者の大陰唇に密着しやすくなる。
【００４６】
前記環状の上層吸収体１１で囲まれた領域の平面寸法としては、図４に示されるように、生理用ナプキン１の長手方向の長さＬａが４０〜８０ｍｍ、幅方向の長さＬｂが１５〜３５ｍｍとするのが好ましい。この領域の寸法が大きすぎると、上層吸収体１１が着用者の大陰唇より外側に位置するようになり、上層吸収体１１と大陰唇との密着性が低下する。また、小さすぎると、この領域内に受け止めることができる体液の量が少なくなり、漏れが発生するおそれがある。
【００４７】
前記上層吸収体１１は、前記高吸水性樹脂の含有比率が非肌側より肌側の方が高くなるように設定するのが好ましい。すなわち、上層吸収体１１のうち、肌側に配置された部分の高吸水性樹脂の含有比率の方が、非肌側に配置された部分の高吸水性樹脂の含有比率より高くなるように設定するのが好ましい。これにより、上層吸収体１１が体液を吸収する毎に、高吸水性樹脂の膨潤により上層吸収体１１の肌側面１２が肌側に向けて隆起するため、上層吸収体１１と肌面との密着性がより向上し、動いてもずれにくく、体液の漏れがより確実に防止できるようになる。高吸水性樹脂の含有比率を変化するには、積繊時にパルプに混入する高吸水性樹脂の量を調整すればよい。高吸水性樹脂の含有比率は、上層吸収体１１を肌側部分と非肌側部分との略半分に区画し、これらの部分で変化させてもよいし、非肌側から肌側に向けて徐々に大きくなるように変化させてもよい。前記高吸水性樹脂の含有比率は、肌側の最も多くなる部分と、非肌側の最も少なくなる部分との比が、１．５〜３倍程度とするのが好ましい。
【００４８】
図７及び図８に示されるように、前記上層吸収体１１の肌側面には、生理用ナプキン１の幅方向に沿うとともに、生理用ナプキン１の長手方向に間隔を空けて、非肌側に窪む複数の変形用凹溝１５、１５…を形成するのが好ましい。前記変形用凹溝１５を設けることにより、生理用ナプキン１の装着時に、上層吸収体１１が配置された部分を身体の前後の丸みに沿って変形させたとき、前記変形用凹溝１５…を可撓軸として上層吸収体１１が湾曲しやすくなるため、上層吸収体１１に余計なシワやヨレが生じにくく、環状の上層吸収体１１がより一層身体の形状にフィットしやすくなり、体液の漏れがより確実に防止できるようになる。前記変形用凹溝１５は、上層吸収体１１の肌側からの圧搾により設けたエンボス部でもよいし、上層吸収体１１の積繊時に積繊しないことにより設けたスリット部でもよい。前記変形用凹溝１５は、上層吸収体１１が着用者の大陰唇の形状に沿って変形しやすい深さで形成されていればよく、あまり大きくし過ぎると変形用凹溝１５から体液が漏れ出るおそれがあるため、最大で上層吸収体１１の高さの約２／３程度とするのが好ましい。また、着用者の大陰唇における身体の前後の丸みに合わせて、丸みが緩やかな部分では変形用凹溝１５の深さを浅くし、丸みがきつい部分では深くなるように形成してもよい。
【００４９】
一方、前記下層吸収体１０の肌側面には、図９及び図１０に示されるように、生理用ナプキン１の長手方向に沿うとともに、生理用ナプキン１の幅方向に間隔を空けて、非肌側に窪む複数の液拡散用凹溝１６、１６…を形成するのが好ましい。これにより、環状の上層吸収体１１で囲まれた領域に受け止められた体液を、前記液拡散用凹溝１６に沿って下層吸収体１０の前後に拡散させることができ、上層吸収体１１で囲まれた領域における下層吸収体１０の吸収量が容量オーバーになるのが防止でき、下層吸収体１０の広い範囲で体液を効率的に吸収することができるようになる。前記液拡散用凹溝１６は、下層吸収体１０の肌側からの圧搾により設けたエンボス部でもよいし、下層吸収体１０の積繊時に積繊しないことにより設けたスリット部でもよい。前記液拡散用凹溝１６は、下層吸収体１０のほぼ全幅に設けるのが好ましいが、少なくとも上層吸収体１１が配置された幅内に設けてあればよい。
【００５０】
また、図１１に示されるように、前記液拡散用凹溝１６は、上層吸収体１１が積層される部分に、溝深さを相対的に深くした深溝部１７を設けてもよい。この上層吸収体１１が積層された部分は、体液が拡散しにくいため、凹溝の深さを部分的に深くすることによって、よりスムーズに体液が前後に拡散できるようになる。
【００５１】
前記吸収体４を製造するには、積繊によって下層吸収体１０を製作した後、この下層吸収体１０の肌側面に更に上層吸収体１１を積繊する２段積繊により製造してもよいし、前記下層吸収体１０の肌側面に上層吸収体１１の外形に合わせて積繊した吸収体の中央部を積繊後に後加工で圧搾することにより製造してもよい。これらの製造方法のうち、前者の２段積繊により製造するのが特に好ましい。前記２段積繊による方法では、前記上層吸収体１１で囲まれた領域の吸収体が圧搾されないため、パルプ繊維間に設けられた大きな空隙を通じて、この領域に受け止められた体液が下層吸収体１０に素早く浸透し、その後パルプ繊維の毛管作用などにより平面方向に拡散するようになる。本生理用ナプキン１では、薄型の吸収体を用いることを前提としているため、積繊後に圧搾すると吸収体の全体が硬くなり、体液が浸透しにくくなるおそれがある。
【符号の説明】
【００５２】
１…生理用ナプキン、２…不透液性裏面シート、３…透液性表面シート、４…吸収体、７…サイド不織布、１０…下層吸収体、１１…上層吸収体、１２…肌側面、１５…変形用凹溝、１６…液拡散用凹溝
【図１】
2019103719.tif 000003
【図２】
2019103719.tif 000004
【図３】
2019103719.tif 000005
【図４】
2019103719.tif 000006
【図５】
2019103719.tif 000007
【図６】
2019103719.tif 000008
【図７】
2019103719.tif 000009
【図８】
2019103719.tif 000010
【図９】
2019103719.tif 000011
【図１０】
2019103719.tif 000012
【図１１】
2019103719.tif 000013